(57)【特許請求の範囲】
【請求項１】
電動送風機およびこの電動送風機の駆動を制御する制御手段を備えた掃除機本体と、
この掃除機本体に一端が接続され他端に把持部を備えたホースと、
前記把持部に設けられ前記電動送風機の駆動状態を設定する設定操作により前記制御手段に所定の電流値を出力する操作手段とを備え、
前記操作手段は、所定のインピーダンスを有し設定操作にてインピーダンスが変化し、この変化したインピーダンスに対応して互いに異なる電流値を前記制御手段に設定する一時電流設定手段と、前記掃除機本体に接続された状態で前記一時電流設定手段により出力される電流値よりも小さい電流値を前記制御手段に設定する常時電流設定手段とを構成する電流制御手段とを備え、
前記制御手段は、前記電流制御手段からの電流値を読み取る電流読取手段と、前記一時電流設定手段および前記常時電流設定手段からの電流値を読み取って前記操作手段のインピーダンスを認識し前記読み取った電流値をあらかじめ設定された所定の電流値と比較することにより誤差を認識して、この得られた誤差に基づいて前記電流読取手段にて読み取った電流値を補正する電流補正手段とを備え、この電流補正手段により補正された電流値に基づいて判別した前記操作手段の設定操作に対応して前記電動送風機を所定の駆動状態に制御する
ことを特徴とした電気掃除機。
【請求項２】
商用交流電源のコンセントに着脱可能に接続され電動送風機に電力を供給する電源コードを備え、
制御手段は、前記電源コードが前記コンセントに接続された状態で操作手段のインピーダンスを検出する
ことを特徴とした請求項１記載の電気掃除機。
【請求項３】
電流補正手段は、検出するインピーダンスが所定の範囲外の値であることを認識した場合には電流読取手段にて読み取った電流値を補正しない
ことを特徴とした請求項１または２記載の電気掃除機。
【発明の詳細な説明】
【０００１】
【発明の属する技術分野】
本発明は、電動送風機の駆動を設定する操作手段をホースの把持部に設けた電気掃除機に関する。
【０００２】
【従来の技術】
従来、ホースの把持部に設けられ掃除作業者の所望する電動送風機の駆動状態が表示された操作手段の各種スイッチが設定操作されることにより、ホースに設けた伝送線を介して供給される所定の電流値を適宜可変し、この可変された電流値に基づいて掃除機本体に設けられた制御手段を搭載する回路基板が電動送風機の駆動を適宜制御する電気掃除機が知られている。
【０００３】
そして、操作手段は掃除作業の際に把持されて前後に押し引きされる把持部に設けられることから、軽量小型のメンブレンスイッチに抵抗値の異なる複数の抵抗素子を各種スイッチに対応して設けて操作手段を構成している。
【０００４】
【発明が解決しようとする課題】
ところで、掃除作業者が把持する把持部にはあまり大きな電流値の電流を供給することができないことから、操作手段はホースの伝送線を介して供給される５Ｖ程度の基準電圧の電流値を適宜可変する。このため、複数の抵抗素子にて可変する電流値の値の差もあまり大きく設定することができない。したがって、抵抗素子の抵抗値のばらつきなどにより、可変する電流値の値にばらつきが生じると、制御手段がばらついた電流値に基づいて電動送風機の駆動を制御してしまう誤作動を生じるおそれがある。また、各製品毎に操作手段の各抵抗値を測定してそれぞれ抵抗値を調整したのでは、製造工程が煩雑で製造性が低下する問題がある。
【０００５】
本発明は、このような点に鑑みなされたもので、操作手段にて出力する電流値にばらつきが生じていてもばらつきを認識して誤作動なく電動送風機を駆動制御できる電気掃除機を提供することを目的とする。
【０００６】
【課題を解決するための手段】
請求項１記載の電気掃除機は、電動送風機およびこの電動送風機の駆動を制御する制御手段を備えた掃除機本体と、この掃除機本体に一端が接続され他端に把持部を備えたホースと、前記把持部に設けられ前記電動送風機の駆動状態を設定する設定操作により前記制御手段に所定の電流値を出力する操作手段とを備え、前記操作手段は、所定のインピーダンスを有し設定操作にてインピーダンスが変化し、この変化したインピーダンスに対応して互いに異なる電流値を前記制御手段に設定する一時電流設定手段と、前記掃除機本体に接続された状態で前記一時電流設定手段により出力される電流値よりも小さい電流値を前記制御手段に設定する常時電流設定手段とを構成する電流制御手段とを備え、前記制御手段は、前記電流制御手段からの電流値を読み取る電流読取手段と、前記一時電流設定手段および前記常時電流設定手段からの電流値を読み取って前記操作手段のインピーダンスを認識し前記読み取った電流値をあらかじめ設定された所定の電流値と比較することにより誤差を認識して、この得られた誤差に基づいて前記電流読取手段にて読み取った電流値を補正する電流補正手段とを備え、この電流補正手段により補正された電流値に基づいて判別した前記操作手段の設定操作に対応して前記電動送風機を所定の駆動状態に制御するものである。
【０００７】
そして、一時電流設定手段のインピーダンスの変化に従って電流制御手段にて可変した電流値を制御手段の電流読取手段にて読み取るとともに、制御手段の電流補正手段にて電流制御手段のインピーダンスを検出してあらかじめ設定されている基準のインピーダンスと比較して認識した誤差に基づいて電流読取手段にて読み取った電流値を補正し、電動送風機の駆動状態を操作手段の設定操作に対応して制御するため、電流制御手段により可変する電流値のばらつきの割合がインピーダンスの値のばらつきに対応するので、仮に操作手段の電流制御手段により可変される電流値にばらつきが生じても制御手段にて電流値を補正し、この補正した電流値に基づいて電動送風機の駆動を制御することにより、誤作動なく操作手段の設定操作に対応して駆動制御するとともに、異なる操作手段に交換したり、異なる操作手段を備えたホースが接続されたりしても、操作手段毎に補正して誤作動なく駆動制御する。また、操作手段に設定操作にて一時電流設定手段が制御手段に出力する電流値より小さい電流値を設定する常時電流設定手段を設け、ホースを掃除機本体に接続した時点で、制御手段の電流補正手段により常時電流設定手段からの電流値を読み取って操作手段のインピーダンスを認識してあらかじめ設定された所定の電流値と比較して誤差を認識するため、簡単な構造でホースを接続するのみで操作手段にて可変する電流値のばらつきを誤差として補正するとともに、異なる操作手段を備えたホースが接続されても接続されるホース毎に補正して誤作動なく駆動制御する。
【０００８】
請求項２記載の電気掃除機は、請求項１記載の電気掃除機において、商用交流電源のコンセントに着脱可能に接続され電動送風機に電力を供給する電源コードを備え、制御手段は、前記電源コードが前記コンセントに接続された状態で操作手段のインピーダンスを検出するものである。
【０００９】
そして、電動送風機に電力を供給する電源コードがコンセントに接続された状態で、制御手段により操作手段のインピーダンスを検出するため、ホースが掃除機本体に接続される掃除状態で操作手段にて可変する電流値のばらつきを誤差として認識して操作手段からの電流値を補正するので、掃除するために電源が供給された時点で操作手段にて可変する電流値のばらつきを誤差として補正するので、掃除の開始毎に補正して確実に駆動制御する。
【００１０】
請求項３記載の電気掃除機は、請求項１または２記載の電気掃除機において、電流補正手段は、検出するインピーダンスが所定の範囲外の値であることを認識した場合には電流読取手段にて読み取った電流値を補正しないものである。
【００１１】
そして、検出するインピーダンスが所定の範囲外の値であることを認識した場合には電流読取手段にて読み取った電流値を補正しないので、所定範囲外の値のインピーダンスは、例えばノイズや接続不良と判断して補正しないので、確実に操作手段にて可変する電流値のばらつきを認識して補正し、誤作動なく駆動制御する。
【００１２】
【発明の実施の形態】
以下、本発明の電気掃除機の実施の一形態を図面を参照して説明する。
【００１３】
図３において、１は電気掃除機本体で、この電気掃除機本体１は電動送風機２を収容する本体であるケース体1aを有し、このケース体1aにホース３の基端が機械的に着脱自在に接続される。また、ホース３の先端には、後方に向けて分岐された形状の把持部である手許操作部４が設けられている。さらに、手許操作部４の先端には、延長管５を介して吸込口体６が取り付けられる。
【００１４】
そして、手許操作部４には、図３および図４に示すように、後方に向けて分岐され先端が自由端となる握り部11が設けられている。また、手許操作部４の上面には、上方に向けて凹溝状の取付凹部12が設けられている。さらに、この取付凹部12には、図５に示すように、手許操作部４内に連通する配線挿通孔13が開口形成されている。
【００１５】
また、取付凹部12には、スイッチである操作手段としてのスイッチ基板15が取り付けられている。このスイッチ基板15は、図６ないし図１０に示すように、回路基板16と銘板17とが一体的に接合された２層構造に形成されている。
【００１６】
そして、回路基板16は、図７に示すように、例えばポリエチレンテレフタレートやポリイミドなどにてフィルム状に形成された可撓性を有する薄膜合成樹脂基板21を有している。この薄膜合成樹脂基板21の一面には、銀などの導電性金属を含有する導電性ペーストが、対向する櫛状の電極22，22を複数対有した所定のパターンにスクリーン印刷されて焼き付けられた銀パターン23aが設けられている。さらに、銀パターン23aには電解めっきによりニッケルパターン23bが積層形成され、銀パターン23aおよびニッケルパターン23bにて回路パターン23が形成され、略長方形平板状の回路部24が形成される。また、この回路部24の長手方向の端部には、舌片状に設けられ回路部24の回路パターン23に連続して電極22，22に導通する一対の端子25，25が同様にスクリーン印刷・焼き付け・電解めっきにて形成された端子部26が一体的に設けられている。
【００１７】
また、端子部26には、電流制御手段としての抵抗である複数の抵抗素子27，27が回路パターン23と同様にスクリーン印刷・焼き付けにて設けられる電流設定領域28が設けられている。
【００１８】
一方、銘板17は、回路基板16と同様に、例えばポリエチレンテレフタレートやポリイミドなどにて可撓性を有するフィルム状に形成され、回路基板16の外径より大きい寸法の略楕円平板状、すなわち取付凹部12に対応する形状に形成されている。そして、銘板17には、一面側に球面状に膨出するエンボス31が回路基板16の対をなす各電極22，22に対応して複数、例えば４つ設けられている。
【００１９】
また、銘板17の一面側には、電動送風機２の駆動状態の内容を表示する表示部32が印刷形成されている。さらに、銘板17の他面側には、エンボス31の内面側に位置して略円形状に、導電性ペーストがスクリーン印刷・焼き付け・電解めっきされた図示しない導電部が設けられている。
【００２０】
そして、回路基板16の回路パターン23が設けられた側と銘板17の導電部が設けられた他面側とが接着剤などにて一体的に接合されてスイッチ基板15が形成されている。なお、この接合は、図６、図９および図１０に示すように、回路基板16の端子部26を除く少なくとも回路部24と銘板17とが接着剤にて接合され、端子部26は銘板17に接合されずに銘板17の周縁より内側で先端側が屈曲可能に自由端となっている。さらに、エンボス31の内面側にも接着剤が介在しない。そして、この接合により、回路基板16の対をなす電極22，22と銘板17の導電部とが所定の間隙を介して対向して常開型のスイッチ部35，36，37，38が複数、例えば４つ構成される。
【００２１】
また、銘板17の端子部26に対向する部分には、接着剤が塗布形成され剥離シート40が剥離可能に接着する接着層41が設けられている。さらに、回路基板16の回路部の他面、すなわち回路パターン23が設けられた側と反対側の面および回路基板16と接続するために設けた銘板17の一面には、接着剤が塗布形成された接着層41が設けられている。
【００２２】
そして、スイッチ基板15は、回路基板16の端子部26に図５および図８に示すようにホース３に配設される図示しない伝送線に接続するリード線43が半田44にて接続され、屈曲されて配線挿通孔13内に挿通され、銘板17および回路基板16の各接着層41，41が取付凹部12内に接着されて、握り部11から延長管５の方向に向けて停止設定用のスイッチ部35、自動設定用のスイッチ部36、弱設定用のスイッチ部37および強設定用のスイッチ部38が１列に順次並んで取り付けられる。
【００２３】
次に、図１および図２を参照して、内部構成について説明する。
【００２４】
まず、電気掃除機本体１内に配設された電動送風機２は、それぞれ電力制御用のトライアックTrを介して商用交流電源Ｅに接続されている。そして、トライアックTrのゲートには、電気掃除機本体１内に収容された図示しない回路基板上に搭載される制御手段45に接続されている。
【００２５】
この制御手段45は、第１の制御部46および第２の制御部47を備え、第１の制御部46には操作手段としてのスイッチ基板15がホース３の伝送線3aを介して着脱可能に接続されている。
【００２６】
そして、第１の制御部46は、図１０に示すように、スイッチ基板15に電源を供給する電源手段50と、スイッチ基板15からの電流値を読み取る電流読取手段としての読取手段51と、読取手段51にて読み取った電流値によりいずれのスイッチ部35〜38が操作されたかを判別する電流補正手段としての判別手段52とを備えている。
【００２７】
また、スイッチ基板15は、各対をなす電極22，22と抵抗素子27，27とにて、図１１の回路図に示すように、端子部26の端子25，25間に、抵抗R1、銘板17の停止設定用の表示部32に対応するスイッチ部35と抵抗R2との直列回路、銘板17の自動設定用の表示部32に対応するスイッチ部36と抵抗R3との直列回路、銘板17の弱設定用の表示部32に対応するスイッチ部37と抵抗R4との直列回路、および、銘板17の強設定用の表示部32に対応するスイッチ部38と抵抗R5との直列回路が並列に接続されて構成されている。そして、各抵抗R1〜R5はそれぞれ異なる抵抗値に設定され、抵抗R1が第１の制御部46からの電源を所定の電流値に可変する常時電流設定手段となり、他の各スイッチ部35〜38と直列回路を構成する抵抗R2〜R5が電源をそれぞれ異なる電流値に設定する一時電流設定手段となる。
【００２８】
また、第２の制御部47は、第１の制御部46の判別手段52にて判別した内容に対応してトライアックTrを適宜位相制御し、判別した内容に対応、すなわちスイッチ基板15の各種スイッチ部35〜38の設定操作に対応して電動送風機２の駆動状態を制御する。
【００２９】
次に、上記実施の形態の動作を図面を参照して説明する。
【００３０】
まず、スイッチ基板15は、例えばポリエチレンテレフタレートやポリイミドなどにてシート状に形成された可撓性を有する薄膜合成樹脂板上に、銀などの導電性金属を含有する導電性ペーストを所定のパターンにスクリーン印刷して焼き付け、銀パターン23aを形成する。この銀パターン23aは、端子部26の電流設定領域28に対応する部分に、複数の対向して離間する複数対の電極部23cを設けて形成される。この後、銀パターン23aの電極部23c，23c間に、抵抗体ペーストをスクリーン印刷して焼き付け、複数の抵抗素子27，27を形成する。
【００３１】
この後、抵抗素子27，27を除く銀パターン23aの部分に電解めっきを施してニッケルパターン23bを形成し、対向する電極22，22およびトリミング部29，29を有した複数の回路パターン23，23を形成する。そして、各回路パターン23，23毎に切断して複数の回路基板16，16を切り出し形成し、あらかじめエンボス31、導電部および表示部32を設けた銘板17を接着してスイッチ基板15を形成する。
【００３２】
また、スイッチ基板15を手許操作部４に取り付けるに際しては、手許操作部４の配線挿通孔13から引き出したリード線43をスイッチ基板15の端子部26の端子25，25に半田44にて接続する。この後、剥離シート40を剥離し、端子部26を基端部分で屈曲させて配線挿通孔13内に嵌挿しつつ、回路基板16および銘板17の接着層41，41を手許操作部４の取付凹部12内に接着して取り付ける。
【００３３】
そして、掃除に際しては、図１２のフローチャートに示すように、電気掃除機本体１に適宜ホース３、延長管５および吸込口体６を接続し、図示しない電源コードをコンセントに接続して商用交流電源Ｅを供給しておく（ステップ１）。
【００３４】
この電源コードがコンセントに接続されて電源が供給されることにより、制御手段45は初期値に設定して電動送風機２の駆動を停止させる制御をする（ステップ２）。
【００３５】
そして、第１の制御部46の読取手段51がホース３の伝送線3aを介して操作手段を構成するスイッチ基板15からのインピーダンスである電流値を読み取る（ステップ３）。この後、判別手段52は読み取った電流値が所定の値の範囲内、すなわち基準のインピーダンスとなる常時電流設定手段となる抵抗R1による所定の閾値以上でいずれかのスイッチ部35〜38が操作されることによる所定の閾値以下の電流であるか否かをあらかじめ設定された基準値と比較判別する（ステップ４）。そして、判別手段52が読取手段51にて読み取った電流値が所定の値の範囲内でないと判断すると、読み取った電流値はノイズなどと判断してステップ３に戻って再びスイッチ基板15からの電流値を読み取る。
【００３６】
また、ステップ４で読取手段51が読み取った電流値が所定の範囲内、すなわち常時電流設定手段となる抵抗R1による所定の閾値以上でいずれかのスイッチ部35〜38が操作されることによる所定の閾値以下の電流であると判断するとホース３が接続されていると判断する。そして、判別手段52は、検出した電流値があらかじめ設定されている所定の電流値と比較し、電流値の差をスイッチ基板15の誤差として認識し補正値とする（ステップ５）。この補正値の設定により、制御手段45は次のスイッチ基板15からの電流値の読み込み準備となり、掃除作業者により設定操作されるスイッチ部35〜38に対応して電動送風機２を駆動制御する待機状態となる（ステップ６）。
【００３７】
この後、判別手段52はさらにいずれかのスイッチ部35〜38が操作されることによる所定の閾値以上の電流を読み取ると、判別手段52はあらかじめ設定した補正値により読み取った電流の電流値を補正し、この補正した電流値によりいずれのスイッチ部35〜38が操作されたものであるかを判別し、第２の制御部47にてスイッチ部35〜38の操作に対応してトライアックTrを位相制御し、電動送風機２を所定の駆動状態に制御する。
【００３８】
ここで、スイッチ部35〜38は、銘板17に設けられた導電部が回路基板16の対向する一対の電極22，22間を短絡することにより閉成するので、銘板17のエンボス31の弾性に抗して押動操作すればよく、この銘板17の設定操作が直接スイッチ部35〜38の開閉動作となり、違和感のない良好な感触が得られ、操作性が向上する。
【００３９】
上記実施の形態では、所定のインピーダンスすなわち抵抗値を有した各種抵抗素子27，27にてスイッチ基板15の設定操作された駆動状態に従って可変した電流値を制御手段45の読取手段51にて読み取るとともに、制御手段45の判別手段52により読取手段51にて読み取った所定の範囲内の電流値をあらかじめ設定されている基準となる電流値と比較し、電流値の差を誤差として認識して補正値とし、設定操作により可変された電流値を補正値で補正し、補正された電流値に基づいて電動送風機２を設定操作に対応して駆動制御するため、各抵抗素子27，27の抵抗値のばらつき、スイッチ基板15毎のばらつきなどが生じていても、接続されるスイッチ基板15のインピーダンスを検出して誤差を認識し補正するので、誤作動なく設定操作に対応して電動送風機２を駆動制御でき、異なるスイッチ基板15に交換したり、異なるスイッチ基板15を備えたホース３が接続されても、スイッチ基板15毎に補正して誤作動なく駆動制御できる。
【００４０】
そして、スイッチ基板15に設定操作にて制御手段45に出力する電流値より小さい電流値を設定する常時設定手段となる抵抗R1を設け、ホース３を電気掃除機本体１に接続した状態で制御手段45の判別手段52により常時設定手段となる抵抗R1からの電流値を読み取ってスイッチ基板15のインピーダンスを認識してあらかじめ設定された所定の電流値と比較して誤差を認識するため、簡単な構造でホース３を接続するのみでスイッチ基板15にて可変する電流値のばらつきを誤差として補正できるとともに、異なるスイッチ基板15を備えたホース３が接続されても接続されるホース３毎に補正して誤作動なく駆動制御できる。
【００４１】
また、電源コードをコンセントに接続した状態で、制御手段45によりスイッチ基板15のインピーダンスを検出するため、ホース３が電気掃除機本体１に接続される掃除状態でスイッチ基板15にて可変する電流値のばらつきを誤差として認識してスイッチ基板15からの電流値を補正するので、掃除するために電源が供給された時点でスイッチ基板15にて可変する電流値のばらつきを誤差として補正するので、掃除の開始毎に補正して誤作動なく確実に電動送風機２を駆動制御できる。
【００４２】
そして、検出するインピーダンスすなわち所定の抵抗値による電流値が所定の範囲外の値であることを認識した場合には電流読取手段にて読み取る電流値を補正しないので、所定範囲外の値の電流値は、例えばノイズや接続不良、すなわちホース３の電気掃除機本体１との接続不良、ごみなどによる短絡などと判断して補正しないので、確実にスイッチ基板15にて可変する電流値のばらつきを認識して補正し、誤作動なく電動送風機２を駆動制御できる。
【００４３】
なお、上記実施の形態において、銘板17に導電部を設けて説明したが、例えばメンブレンスイッチを銘板17に隠れるように端子部26は接合することなく一体的に接合し、銘板17の中間部から舌片状に端子部26が屈曲可能に突出するように３層構造に接合するとともに、この一体に３層構造で接合したスイッチ基板15を少なくとも銘板17に設けた接着層41にて接着して取り付けてもよい。
【００４４】
さらに、スイッチ部35〜38を４つ設けた構成について説明したが、１つあるいは複数設けてもよい。
【００４５】
そして、操作手段として可撓性を有するメンブレンスイッチ構造のスイッチ基板15を用いて説明したが、チップ抵抗器をプリント回路基板に実装した構造など、設定操作に対応したインピーダンスの変化により電流値を可変して制御手段45に出力するいずれの構成でもできる。
【００４６】
さらに、電流制御手段として抵抗となる抵抗素子27，27を設けて説明したが、抵抗に限らず、コイルやコンデンサなどインピーダンスを有するいずれの受動素子でもよい。
【００４７】
また、スイッチ基板15に常時電流設定手段となる抵抗R1を設け、ホース３が接続されたことを認識可能としてこのホース３の接続状態で読取手段51にて読み取った抵抗R1による電流値を基準の電流値と比較して補正値を設定し、以降に設定操作にてスイッチ基板15からの電流値を読み取った際に補正値で補正して説明したが、例えば設定操作による電流値を読み取り、所定の範囲の電流値、例えば強のスイッチ部38の操作である場合には、あらかじめ強のスイッチ部38が設定操作されることにより抵抗R5による電流値に対応した基準の電流値と比較して補正値を設定して読み取った電流値を補正し、他のスイッチ部35〜37についても同様に補正するなどしてもよい。この場合には、常時電流設定手段が不要となり、スイッチ基板15の構造を簡略小型化できる。さらに、この設定操作による電流値を読み取って補正する場合には、例えば対象となるスイッチ部35〜38の少なくともいずれか１つを操作しつつホース３を接続することにより作用させたり、ホース３の接続後所定時間内の設定操作による電流値を補正したり、この補正の際の補正値に基づいて他のスイッチ部35〜38の設定操作による電流値も同様に補正するなどの制御をしてもよい。
【００４８】
【発明の効果】
請求項１記載の電気掃除機によれば、一時電流設定手段のインピーダンスの変化に従って電流制御手段にて可変した電流値を制御手段の電流読取手段にて読み取るとともに、制御手段の電流補正手段にて電流制御手段のインピーダンスを検出してあらかじめ設定されている基準のインピーダンスと比較して認識した誤差に基づいて電流読取手段にて読み取った電流値を補正し、操作手段の設定操作に対応して電動送風機を駆動制御するため、電流制御手段により可変する電流値のばらつきの割合がインピーダンスの値のばらつきに対応するので、仮に操作手段の電流制御手段により可変される電流値にばらつきが生じても制御手段にてインピーダンスの値のばらつきに対応して電流値を補正し、この補正した電流値に基づいて電動送風機の駆動を制御することにより、接続される操作手段毎の各設定操作に対応して誤作動なく駆動制御できる。また、操作手段に設定操作にて制御手段に出力する電流値より小さい電流値を設定する常時電流設定手段を設け、ホースを掃除機本体に接続した時点で、制御手段の電流補正手段により常時電流設定手段からの電流値を読み取って操作手段のインピーダンスを認識してあらかじめ設定された所定の電流値と比較して誤差を認識するため、簡単な構造でホースを接続するのみで操作手段にて可変する電流値のばらつきを誤差として補正できるとともに、異なる操作手段を備えたホースが接続されても接続されるホース毎に補正して誤作動なく駆動制御できる。
【００４９】
請求項２記載の電気掃除機によれば、請求項１記載の電気掃除機の効果に加え、電源コードをコンセントに接続した状態で制御手段により操作手段のインピーダンスを検出するため、ホースが掃除機本体に接続される掃除状態で操作手段にて可変する電流値のばらつきを誤差として認識して操作手段からの電流値を補正するので、掃除するために電源が供給された時点で操作手段にて可変する電流値のばらつきを誤差として補正でき、掃除の開始毎に補正して確実に駆動制御できる。
【００５０】
請求項３記載の電気掃除機によれば、請求項１または２記載の電気掃除機の効果に加え、検出するインピーダンスが所定の範囲外の値であることを認識した場合には電流読取手段にて読み取った電流値を補正しないので、所定範囲外の値のインピーダンスは、例えばノイズや接続不良と判断して補正せず、確実に操作手段にて可変する電流値のばらつきを認識して補正でき、誤作動なく駆動制御できる。
【図面の簡単な説明】
【図１】  本発明の電気掃除機の実施の一形態を示す電気掃除機本体の回路構成を示すブロック図である。
【図２】  同上制御手段を示すブロック図である。
【図３】  同上電動送風機本体を示す斜視図である。
【図４】  同上手許操作部を示す斜視図である。
【図５】  同上手許操作部の一部を切り欠いた取付凹部近傍を示す側面図である。
【図６】  同上スイッチ基板の一部を切り欠いた断面図である。
【図７】  同上スイッチ基板の回路基板の平面図である。
【図８】  同上端子部を示す断面図である。
【図９】  同上スイッチ基板の接着層を示す平面図である。
【図１０】  同上銘板の剥離シートが接着される部分の接着層を示す平面図である。
【図１１】  同上スイッチ基板を示す回路図である。
【図１２】  同上スイッチ基板からの電流値を補正する動作を説明するフローチャートである。
【符号の説明】
１    電気掃除機本体
２    電動送風機
３    ホース
４    把持部である手許操作部
15    操作手段としてのスイッチ基板
27    電流制御手段としての抵抗素子
45    制御手段
51    電流読取手段としての読取手段
52    電流補正手段としての判別手段
R1    常時電流設定手段となる抵抗
【図１】
0003835586.tif 000002
【図２】
0003835586.tif 000003
【図３】
0003835586.tif 000004
【図４】
0003835586.tif 000005
【図５】
0003835586.tif 000006
【図６】
0003835586.tif 000007
【図７】
0003835586.tif 000008
【図８】
0003835586.tif 000009
【図９】
0003835586.tif 000010
【図１０】
0003835586.tif 000011
【図１１】
0003835586.tif 000012
【図１２】
0003835586.tif 000013